(57)【要約】【課題】軒方向に隣接した屋根材の突付け部分から浸入した雨水が、屋根下地側に流れ難い屋根構造及びそれに用いられる捨て板を提供する。【解決手段】複数の屋根材２が千鳥状に重ね葺きされ、軒棟方向に並ぶ３つの屋根材２のうち中央の屋根材２の一部と棟側の屋根材２の軒側端部と軒側の屋根材２の棟側端部とが重なり合う。軒方向に隣接した前記中央の屋根材２の突付け部分２０の裏側に捨て板３が設けられる。捨て板３は、突付け部分２０の裏側に配置され、軒側端部が前記屋根材２の重なり部分に位置する水受け板部３０と、水受け板部３０の棟側端部から裏側に突出し、裏側の中央の屋根材２の棟側縁に引掛けられる引掛け部３４とを備える。水受け板部３０の棟側端部及び軒方向の両端部の各々に堰部３１〜３３が設けられる。【選択図】図１
2018184814.tif 000002
【特許請求の範囲】
【請求項１】
複数の屋根材が千鳥状に重ね葺きされ、軒棟方向に並ぶ３つの屋根材のうち中央の屋根材の一部と棟側の屋根材の軒側端部と軒側の屋根材の棟側端部とが重なり合った屋根構造であって、
軒方向に隣接した前記中央の屋根材の突付け部分の裏側に捨て板が設けられており、
前記捨て板は、
前記突付け部分の裏側に配置され、軒側端部が前記屋根材の重なり部分に位置する水受け板部と、
前記水受け板部の棟側端部から裏側に突出し、裏側の前記中央の屋根材の棟側縁に引掛けられる引掛け部とを備え、
前記水受け板部の棟側端部及び軒方向の両端部の各々に堰部が設けられたことを特徴とする屋根構造。
【請求項２】
前記水受け板部の裏側の屋根材の棟側端部にマークが設けられており、前記水受け板部の棟側端部に前記マークの視認が可能な開口が設けられたことを特徴とする請求項１に記載の屋根構造。
【請求項３】
前記水受け板部の軒方向の両端部の各々に設けられた前記堰部は、前記水受け板部の表側に突出した断面略逆Ｌ字状の折曲部分で構成されていることを特徴とする請求項１又は請求項２に記載の屋根構造。
【請求項４】
前記水受け板部の棟側端部に設けられた前記堰部は、前記水受け板部の表側に突出した断面略逆Ｌ字状の折曲部分で構成されており、当該堰部が前記水受け板部の軒方向の両端部の各々に設けられた前記堰部に繋がっていること特徴とする請求項３に記載の屋根構造。
【請求項５】
請求項１乃至４のいずれか１項に記載の屋根構造に用いられる捨て板。
【発明の詳細な説明】
【技術分野】
【０００１】
本発明は、屋根構造及びそれに用いられる捨て板に関し、詳しくは、複数の屋根材が千鳥状に重ね葺きされた屋根構造及びそれに用いられる捨て板に関する。
【背景技術】
【０００２】
特許文献１には、複数の屋根材が千鳥状に重ね葺きされた屋根構造が開示されている。この屋根構造では、屋根材に釘孔が穿設されており、屋根材に釘孔を通して屋根下地に釘を打入することにより、屋根材が屋根下地に固定されている。
【先行技術文献】
【特許文献】
【０００３】
【特許文献１】特開２０１１−２２６２３１号公報
【発明の概要】
【発明が解決しようとする課題】
【０００４】
前述した屋根構造にあっては、軒方向に隣接した屋根材の突付け部分から雨水が浸入した場合、この雨水は前記突付け部分の裏側に施工された屋根材によって受けられる。ところが、例えば屋根勾配が緩い場合、前記屋根材で受けられた雨水が軒方向や棟側に広がって、広がった雨水が当該屋根材の釘孔や当該屋根材の棟側から屋根下地側に流れるおそれがある。
【０００５】
本発明は前記事情に鑑みてなされたものであって、軒方向に隣接した屋根材の突付け部分から浸入した雨水が、屋根下地側に浸入し難い屋根構造及びそれに用いられる捨て板を提供することを目的とする。
【課題を解決するための手段】
【０００６】
前記目的を達成するために本発明に係る一態様の屋根構造は、複数の屋根材が千鳥状に重ね葺きされ、軒棟方向に並ぶ３つの屋根材のうち中央の屋根材の一部と棟側の屋根材の軒側端部と軒側の屋根材の棟側端部とが重なり合った屋根構造であって、軒方向に隣接した前記中央の屋根材の突付け部分の裏側に捨て板が設けられており、前記捨て板は、前記突付け部分の裏側に配置され、軒側端部が前記屋根材の重なり部分に位置する水受け板部と、前記水受け板部の棟側端部から裏側に突出し、裏側の前記中央の屋根材の棟側縁に引掛けられる引掛け部とを備え、前記水受け板部の棟側端部及び軒方向の両端部の各々に堰部が設けられたことを特徴とする。
【０００７】
また、本発明に係る一態様の捨て板は、前記屋根構造に用いられる捨て板である。
【発明の効果】
【０００８】
本発明に係る一態様の屋根構造及びそれに用いられる捨て板は、軒方向に隣接した屋根材の突付け部分から浸入した雨水を捨て板の水受け板部で受け、この雨水を堰部により広がりを抑えながら軒側に流すことができる。このため、屋根が緩勾配である場合にも、前記突付け部分から浸入した雨水が、軒側の屋根材の表面上に広がって当該屋根材における固着具用孔や、当該屋根材の棟側縁から、屋根下地側に浸入するといった事態が生じ難くなる。
【図面の簡単な説明】
【０００９】
【図１】図１は、本発明の実施形態の屋根構造を示した平面図である。
【図２】図２は、図１のＡ−Ａ線断面図である。
【図３】図３は、同上の屋根構造に用いられる屋根材の平面図である。
【図４】図４は、軒棟方向に並んだ３段の屋根材を示した平面図である。
【図５】図５Ａは同上の屋根構造に用いられる捨て板の平面図であり、図５Ｂは図５ＡのＣ−Ｃ線断面図であり、図５Ｃは図５ＡのＤ−Ｄ線断面図である。
【図６】図６は、図２のＢ−Ｂ線断面図である。
【図７】図７は、同上の屋根構造における屋根材のマークと当該屋根材に取り付けられた捨て板の開口とを示した平面図である。
【図８】図８は、変形例の屋根構造に用いられる捨て板の平面図である。
【図９】図９は、同上の屋根構造であって図６に対応する部分を示した断面図である。
【発明を実施するための形態】
【００１０】
以下、添付図面に基づいて、本実施形態の屋根構造について説明する。図１及び図２に示す本実施形態の屋根構造は、屋根下地１と、複数の屋根材２と、複数の捨て板３と、複数の固着具４とを備えている。
【００１１】
（屋根材）
本実施形態の屋根構造は、本発明を住宅家屋に適用したものであって、屋根下地１は、垂木上に固定された野地板で構成されている。
【００１２】
本実施形態の屋根材２は、平板状のスレート瓦で構成された横葺き屋根材であって、セメント系成形材料を成形し、養生硬化することで製造される。
【００１３】
複数の屋根材２は、野地板上に施工されたルーフィング５の上に千鳥状に重ね葺きされている。このため、複数の屋根材２は、軒方向に隣接する屋根材２の突付け部分２０と、これら屋根材２の一段棟側に位置して軒方向に隣接する屋根材２の突付け部分２０とが、軒方向においてずれている。ここで、軒方向とは軒に沿う方向であって屋根の勾配方向と直交する水平方向である。また、以下では、屋根の勾配方向を軒棟方向という。
【００１４】
図３に示すように、屋根材２は、軒方向に長い略矩形の板状に形成されている。具体的に本実施形態の屋根材２は、矩形の棟側の２か所の角がカットされたような六角形の板状に形成されている。複数の屋根材２は、図１に示すように軒方向に隣接した屋根材２の軒側の端縁同士及び棟側の端縁同士が軒棟方向において揃うように葺かれている。
【００１５】
図３に示すように、屋根材２は、軒側部分で構成された曝露部２１と、棟側部分で構成された非曝露部２２とを備えている。また、非曝露部２２は、棟側端部で構成された二重覆部２３と、二重覆部２３以外のその他の部分で構成された一重覆部２４とを備えている。
【００１６】
図４に示すように、曝露部２１は、棟側に隣接する屋根材２によって覆われず表面が露出する。非曝露部２２は、棟側に隣接する屋根材２によって覆われて表面が露出しない。二重覆部２３は、棟側に隣接する屋根材２とこの屋根材２のさらに棟側に隣接する屋根材２とで二重に覆われる。一重覆部２４は、棟側に隣接する屋根材２だけで覆われる。
【００１７】
すなわち、軒棟方向に並ぶ三段の屋根材２のうち、最も軒側に配置される屋根材２を第１屋根材２Ａとし、第１屋根材２Ａの次に軒側に配置される屋根材２を第２屋根材２Ｂとし、最も棟側に配置される屋根材２を第３屋根材２Ｃとしたとき、第１屋根材２Ａの非曝露部２２における棟側端部は、第２屋根材２Ｂと第３屋根材２Ｃとで二重に覆われた二重覆部２３となり、第１屋根材２Ａの非曝露部２２における棟側端部以外の部分は、第２屋根材２Ｂだけで覆われた一重覆部２４となる。
【００１８】
つまり、本実施形態の屋根構造では、軒棟方向に並ぶ３つの屋根材２Ａ〜２Ｃのうち、中央の屋根材（第２屋根材）２Ｂの一部と、棟側の屋根材（第３屋根材）２Ｃの軒側端部と、軒側の屋根材（第１屋根材）２Ａの棟側端部とが重なり合っている。
【００１９】
図３に示すように、屋根材２の非曝露部２２には、軒方向に並んだ複数の固着具用孔２５が形成されている。固着具用孔２５は、屋根材２を厚み方向に貫通している。複数の固着具用孔２５は、図４に示すように、当該固着具用孔２５が形成された屋根材２の軒側に隣接する屋根材２の棟側端の僅かに棟側に位置するように設けられている。
【００２０】
図３に示すように、本実施形態の屋根材２には、屋根材２同士の位置合わせを行うためのマーク２６が設けられている。マーク２６は、屋根材２の棟側端部の軒方向における中央部に設けられており、切欠きで構成されている。なお、マーク２６は切欠きに限られず、屋根材２の表面に塗装又は印刷された印等であってもよい。
【００２１】
屋根材２を施工する場合、屋根材２の左右両端に設けられた三角形状に切り欠かれたマーク２７を軒側に隣接する屋根材２のマーク２６と合わせることで、屋根材２の軒方向における位置決めを容易に行うことが可能になる。
【００２２】
（固着具）
図４に示すように、各屋根材２の複数の固着具用孔２５には、複数の固着具４がそれぞれ挿通されている。本実施形態の固着具４は釘である。複数の固着具用孔２５にそれぞれ挿通された複数の固着具４は、屋根下地１に打入されている。これにより、屋根材２は屋根下地１に固定されている。屋根材２に挿通された複数の固着具４は、棟側に隣接する屋根材２によって覆われている。
【００２３】
（捨て板）
各屋根材２の棟側部分の軒方向中央部の上には、捨て板３が設けられている。捨て板３は、軒方向に隣接した屋根材２の突付け部分２０の裏側に位置し、この突付け部分２０から浸入した雨水を受け、この雨水を軒側に向かって流す。
【００２４】
また、捨て板３は、表側の屋根材２が踏まれる等して、当該屋根材２の突付け部分２０側の端部が下方に移動したときに当該端部を受ける。このとき、前記端部から捨て板３に加わる力は、屋根材２に沿って面状に広がった捨て板３を介して捨て板３裏側の屋根材２に分散して伝わる。このため、捨て板３裏側の屋根材２が割れ難くなる。
【００２５】
本実施形態の捨て板３は、金属製であり、鋼板を曲げ加工することで形成されている。図５Ａ及び図５Ｂに示すように、捨て板３は、軒棟方向に隣接する屋根材２の間に配置される水受け板部３０と、水受け板部３０の棟側端部から裏側に向かって突出した引掛け部３４とを備えている。
【００２６】
図４に示すように、水受け板部３０は、軒方向に隣接した屋根材２の突付け部分２０の裏側に位置し、軒方向に隣接した屋根材２の突付け部分２０から浸入した雨水を受ける。本実施形態の水受け板部３０は、捨て板３裏側の屋根材２における棟側部分の表面に沿って軒棟方向に延びており、軒棟方向に長い矩形板状に形成されている。この水受け板部３０の幅（軒方向の寸法）は、捨て板３が被せられた屋根材２における中央２箇所の固着具用孔２５の間隔よりも小さく設定されている。
【００２７】
水受け板部３０の軒側縁は、捨て板３表側の屋根材２の軒側縁よりも棟側に位置しており、捨て板３は、捨て板３表側の屋根材２（捨て板３が施工された屋根材２の軒側に位置する屋根材２）によって覆われている。本実施形態の水受け板部３０の軒側縁は、捨て板３裏側の屋根材２に設けられた複数の固着具用孔２５よりも軒側に位置している。つまり、水受け板部３０の軒側端部は、軒棟方向に並ぶ３枚の屋根材２が重なり合う部分に位置している。
【００２８】
引掛け部３４は、図２に示すように、捨て板３裏側の屋根材２の棟側端面に沿って配置されて引っ掛けられている。このように引掛け部３４が捨て板３裏側の屋根材２に引っ掛けられることで、捨て板３の軒側への移動が規制されている。この引掛け部３４の突出寸法は、屋根材２の厚みよりもやや小さく設定されている。
【００２９】
図５Ａ〜図５Ｃに示すように、水受け板部３０の棟側端部及び軒方向の両端部の各々には、上方に突出した堰部３１〜３３が設けられている。
【００３０】
以下、必要に応じて、水受け板部３０の棟側端部に設けられた堰部３１を第１堰部３１といい、水受け板部３０の軒方向の一端部に設けられた堰部３２を第２堰部３２といい、水受け板部３０の軒方向の他端部（第２堰部３２とは反対側の端部）に設けられた堰部３３を第３堰部３３という。
【００３１】
第１堰部３１は、水受け板部３０の棟側端部において軒方向の全長に亘って形成されている。第２堰部３２は、水受け板部３０の軒方向の一端部において軒側端から第１堰部３１まで直線状に延びており、第１堰部３１に繋がっている。第３堰部３３は、水受け板部３０の軒方向の他端部（第２堰部３２とは反対側の端部）において軒側端から第１堰部３１まで直線状に延びており、第１堰部３１に繋がっている。
【００３２】
図４に示すように、第１堰部３１は、捨て板３裏側の屋根材２における二重覆部２３上に配置されている。第２堰部３２及び第３堰部３３は、過半部が捨て板３裏側の屋根材２における一重覆部２４上に配置されている（例えば、図４では、両堰部３２，３３の軒側約３／４が一重覆部２４上に配置されている）。
【００３３】
上記のように水受け板部３０の棟側端部及び軒方向の両端部の各々に堰部３１〜３３が設けられることで、水受け板部３０で受けられた水が、屋根の緩勾配等を要因として、棟側や軒方向に流れたときには、これら水が堰部３１〜３３で堰き止められる。このため、屋根勾配が例えば２．５寸勾配以下の緩勾配である場合にも、軒方向に隣接する屋根材２の突付け部分２０から浸入した雨水が、軒側の屋根材２の表面上に広がって捨て板３裏側の屋根材２における固着具用孔２５や、捨て板３裏側の屋根材２の棟側縁から、屋根下地１側に浸入するといった事態が生じ難くなる。
【００３４】
本実施形態の各堰部３１〜３３は、図５Ｂ及び図５Ｃに示すように、水受け板部３０の表側に突出した断面略逆Ｌ字状の折曲部分で構成されている。具体的に各堰部３１〜３３は、水受け板部３０の表側に向かって軒方向外側にやや傾斜しながら突出した縦片部３５と、縦片部３５の上端部から水受け板部３０の外側に向かって突出し屋根材２と略平行な横片部３６とを備えている。各堰部３１〜３３の横片部３６は、図６に示すように、捨て板３裏側の屋根材２の上方に隙間３８を介して配置されている。
【００３５】
図５Ｂに示すように、第１堰部３１の横片部３６の棟側端部は、引掛け部３４の上端部に繋がっており、引掛け部３４は、第１堰部３１の横片部３６の棟側端部から下方に突出している。引掛け部３４は、横片部３６の軒方向の全長に亘っている。
【００３６】
第２堰部３２の横片部３６及び第３堰部３３の横片部３６は、図５Ｃに示すように、先端（縦片部３５とは反対側の端）が自由端となっている。
【００３７】
図５Ａ〜図５Ｃに示す各堰部３１〜３３の上面は、横片部３６の上面で構成されている。捨て板３表側の屋根材２は、各堰部３１〜３３の上面によって支持されている。本実施形態の第２堰部３２の上面と第３堰部３３の上面は同じ高さである。第１堰部３１の上面は、第２堰部３２の上面及び第３堰部３３の上面よりも高くなっている。
【００３８】
本実施形態の水受け板部３０において第１堰部３１、第２堰部３２及び第３堰部３３で囲まれた部分は、捨て板３裏側の屋根材２の表面に沿った平板状に形成されている。
【００３９】
第１堰部３１は、軒方向の両端部が、第２堰部３２及び第３堰部３３にそれぞれ繋がっている。また、本実施形態の第１堰部３１は、引掛け部３４が横片部３６の棟側端部から下方に突出している。このため、第１堰部３１は、第２堰部３２や第３堰部３３と比較して、変形し難く、剛性が高い。従って、捨て板３表側の屋根材２は、第１堰部３１によって強固に支持されている。
【００４０】
対して、第２堰部３２及び第３堰部３３の各々は、棟側の端部のみが第１堰部３１に繋がっており、また、横片部３６の先端部は自由端となっている。さらに、第２堰部３２及び第３堰部３３の各々の縦片部３５は、鉛直方向に対して傾いている。このため、第２堰部３２及び第３堰部３３の各々は、表側から荷重がかかった際に、第１堰部３１と比較して弾性変形しやすい。例えば、図６に示す捨て板３表側の屋根材２が踏まれる等して、当該屋根材２に下向きの力が加わった場合、この力は第２堰部３２及び第３堰部３３で受けられる。このとき、第２堰部３２及び第３堰部３３は、横片部３６が下方に移動するように弾性変形して、前記力を緩衝する。このため、捨て板３表側の屋根材２が踏まれることで、当該屋根材２が捨て板３裏側の屋根材２に勢いよく当たってこれら屋根材２が割れるといった事態が生じ難い。
【００４１】
図５Ａ及び図７に示すように、本実施形態の水受け板部３０の棟側端部には、捨て板３裏側の屋根材２のマーク２６を視認可能にする開口３７が設けられている。開口３７は、横片部３６を上下方向に貫通した矩形状の孔で構成されており、第１堰部３１の横片部３６における軒方向の中央部に位置している。
【００４２】
（施工）
図１に示す複数の屋根材２は例えば以下に示すように施工される。まず、最も軒側に設けられる複数の屋根材２を屋根下地１上に軒方向に並べて載置する。次にこのように載置された屋根材２の複数の固着具用孔２５に複数の固着具４をそれぞれ表側から挿入し、これら複数の固着具４を屋根下地１に打入して、各屋根材２を屋根下地１に固定する。
【００４３】
次に上記複数の屋根材２の各々に、捨て板３をセットする。このとき捨て板３は、水受け板部３０が対応する屋根材２の非曝露部２２に載置され、引掛け部３４が対応する屋根材２の棟側端縁に引掛けられる。
【００４４】
このように捨て板３を屋根材２にセットするとき、捨て板３の開口３７（図５Ａ参照）を、屋根材２のマーク２６（図３参照）と合わせることで、捨て板３を対応する屋根材２における軒方向の中央部に容易に配置することができる。
【００４５】
次に上記複数の屋根材２の一段棟側の複数の屋根材２を、屋根下地１上に軒方向に並べて葺く。これら複数の屋根材２の各々は、軒側部分が直接又は捨て板３を介して軒側の屋根材２の棟側部分に重なり、かつ突付け部分２０が軒側の屋根材２における軒方向の中央部に位置するように葺かれる。このとき、捨て板３裏側の屋根材２のマーク２６は、図７に示すように捨て板３の開口３７を介して表側に露出し、視認可能となっている。このため、軒方向に隣接する屋根材２の突付け部分２０を軒側の屋根材２のマーク２６に合わせることで、屋根材２の軒方向における位置を容易に決めることができる。
【００４６】
上記のように複数の屋根材２の一段棟側に葺かれた複数の屋根材２の各々は、軒側の屋根材２と同様に、複数の固着具用孔２５に複数の固着具４がそれぞれ表側から挿入され、これら複数の固着具４が屋根下地１に打入されることで、屋根下地１に固定される。
【００４７】
そして、これら屋根材２のさらに一段棟側の複数の屋根材２を屋根下地１上に軒方向に並べて葺き、以後、上記と同様の作業を軒側から棟側に向かって繰り返し行うことで、軒から棟に亘って複数の屋根材２が千鳥状に重ね葺きされる。
【００４８】
（変形例）
次に変形例について説明する。図８及び図９に示す変形例の捨て板３は、各堰部３１〜３３が水受け板部３０とは別体の部材で構成されている。図８及び図９に示す変形例では、各堰部３１〜３３がシーリング材で構成されており、平板状の水受け板部３０の表面における棟側端部及び軒方向の両端部にそれぞれ貼り付けられている。
【００４９】
図９に示すように、各堰部３１〜３３は捨て板３裏側の屋根材２と捨て板３表側の屋根材２とで上下方向に圧縮される。これにより、捨て板３裏側の屋根材２と捨て板３表側の屋根材２との間がシールされている。
【００５０】
（補足）
以上説明した実施形態及び変形例の屋根構造は、適宜設計変更可能である。例えば屋根材２や捨て板３の材質は適宜変更可能である。また、屋根材２の形状は限定されず、例えば矩形板状であってもよい。また、屋根材２のマーク２６は省略可能である。この場合、捨て板３には開口３７は形成されない。また、屋根材２を屋根下地１に固定する固着具４は釘に限られず、例えばねじであってもよい。
【００５１】
（効果）
上述した実施形態及び変形例の屋根構造は、複数の屋根材２が千鳥状に重ね葺きされ、軒棟方向に並ぶ３つの屋根材２のうち中央の屋根材２の一部と棟側の屋根材２の軒側端部と軒側の屋根材２の棟側端部とが重なり合った屋根構造であって、以下に示す特徴を有する。軒方向に隣接した前記中央の屋根材２の突付け部分２０の裏側に捨て板３が設けられる。捨て板３は、突付け部分２０の裏側に配置され、軒側端部が前記屋根材の重なり部分に位置する水受け板部３０と、水受け板部３０の棟側端部から裏側に突出し、裏側の中央の屋根材２の棟側縁に引掛けられる引掛け部３４とを備える。水受け板部３０の棟側端部及び軒方向の両端部の各々に堰部３１〜３３が設けられる。以下、この特徴を有する屋根構造を第１の態様の屋根構造という。
【００５２】
第１の態様の屋根構造にあっては、軒方向に隣接した屋根材２の突付け部分２０から浸入した雨水が捨て板３の水受け板部３０で受けられる。このように水受け板部３０で受けられた雨水は、水受け板部３０の棟側端部及び軒方向の両端部に設けられた堰部３１〜３３によって広がりが抑えられて軒側に流れる。このため、突付け部分２０から浸入した雨水が、軒側の屋根材２の表面上に広がって当該屋根材２における固着具用孔２５や当該屋根材２の棟側縁から、屋根下地１側に浸入するといった事態が生じ難くなる。
【００５３】
また、前記実施形態の屋根構造は、第１の態様の屋根構造が有する特徴に加えて、以下に示す付加的な特徴を有する。水受け板部３０の裏側の屋根材２の棟側端部にマーク２６が設けられる。水受け板部３０の棟側端部にマーク２６の視認が可能な開口３７が設けられる。以下、この屋根構造を第２の態様の屋根構造という。
【００５４】
第２の態様の屋根構造にあっては、施工時において捨て板３の開口３７を通して水受け板部３０の裏側の屋根材２のマーク２６を視認することができる。このため、屋根材２の突付け部分２０とマーク２６とを合わせることで、屋根材２の位置合わせを容易に行うことができる。
【００５５】
また、前記実施形態の屋根構造は、第１又は第２の態様の屋根構造が有する特徴に加えて、以下に示す付加的な特徴を有する。水受け板部３０の軒方向の両端部の各々に設けられた堰部３２，３３は、水受け板部３０の表側に突出した断面略逆Ｌ字状の折曲部分で構成されている。以下、この屋根構造を第３の態様の屋根構造という。
【００５６】
第３の態様の屋根構造にあっては、屋根材２が踏まれたときの力を、水受け板部３０の軒方向両側の堰部３２，３３で受け、この力を当該堰部３２，３３の変形によって緩衝して、屋根材２の踏み割れを抑制することができる。
【００５７】
また、前記実施形態の屋根構造は、第３の態様の屋根構造が有する特徴に加えて、以下に示す付加的な特徴を有する。水受け板部３０の棟側端部に設けられた堰部３１は、水受け板部３０の表側に突出した断面略逆Ｌ字状の折曲部分で構成されており、当該堰部３１が水受け板部３０の軒方向の両端部の各々に設けられた堰部３２，３３に繋がっている。以下、この屋根構造を第４の態様の屋根構造という。
【００５８】
第４の態様の屋根構造にあっては、水受け板部３０の棟側端部に設けられた堰部３１を構成する折曲部分が、水受け板部３０の軒方向の両側端部に設けられた堰部３２，３３を構成する折曲部分に繋がることで、水受け板部３０の棟側端部を補強することができる。このため、水受け板部３０の表側の屋根材２を強固に支持することができる。
【符号の説明】
【００５９】
２  屋根材
２０  突付け部分
２６  マーク
３  捨て板
３０  水受け板部
３１  堰部（第１堰部）
３２  堰部（第２堰部）
３３  堰部（第３堰部）
３４  引掛け部
３７  開口
【図１】
2018184814.tif 000003
【図２】
2018184814.tif 000004
【図３】
2018184814.tif 000005
【図４】
2018184814.tif 000006
【図５】
2018184814.tif 000007
【図６】
2018184814.tif 000008
【図７】
2018184814.tif 000009
【図８】
2018184814.tif 000010
【図９】
2018184814.tif 000011